(57)【要約】  本発明は、トップシート等の皮膚接触シートと、バックシートと、吸収性コアと、及び着色された親水性ローションとを含み、かつ、経血又は糞便が皮膚に付着するのを軽減するのに役立つことによって、経血又はボウル移動（ＢＭ）の浄化し易さを改善するだけでなく、湿り度インジケータとして機能することも可能である、着用者によって装着される吸収性物品を目的とする。好ましい吸収性物品類は、トレーニングパンツを包含する乳児（赤ちゃん）用のおむつ類や、成人用の失禁用物品類等である。【特許請求の範囲】
【請求項１】
着用者によって皮膚に当てて装着され、バックシートと皮膚接触シートと吸収性コアとを備える吸収性物品であって、前記皮膚接触シートが、親水性成分と着色剤とを含有する親水性ローション組成物を含み、前記ローション組成物が少なくとも３０％又は少なくとも４０％の水溶解度を有する、吸収性物品。
【請求項２】
着用者によって皮膚に当てて装着され、バックシートと皮膚接触シートと吸収性コアとを備える吸収性物品であって、前記皮膚接触シートが、ｉ）２５℃で液体の第１成分と、ｉｉ）２５℃で固体の第２成分とを含有するローション組成物を含んでおり、前記第１成分が、
ａ）液体ポリエチレングリコール、液体ポリプロピレングリコール、液体ポリエチレングリコール誘導体類、及び／又は液体ポリプロピレングリコール誘導体類を包含する液体多価アルコール溶媒類、並びに
ｂ）少なくとも１つの脂肪酸単位と、少なくとも１つの（ポリ）エチレングリコール単位及び／又は（ポリ）プロピレングリコール単位とを含む液体脂肪酸エステル類からなる群より選択される１つ以上の化合物を含み、
前記第２成分が、
（ｃ）固体ポリエチレングリコール類、固体ポリプロピレングリコール類、固体ポリエチレングリコール誘導体類、及び／又は固体液体ポリプロピレングリコール誘導体類、
（ｄ）ＨＬＢ値が少なくとも１０の固体非イオン性界面活性剤類、
（ｅ）固体脂肪酸類、固体脂肪石鹸類、及び固体脂肪族アルコール類からなる群より選択される固体脂肪族化合物類、並びに
（ｆ）エトキシル化天然油脂類、並びにプロポキシル化天然油脂類からなる群より選択される１つ以上の化合物を含み、
前記第１成分及び／又は前記第２成分が、着色剤を含む、吸収性物品。
【請求項３】
前記ローション組成物が少なくとも４０％の水溶解度を有する、請求項２に記載の吸収性物品。
【請求項４】
前記皮膚接触シートが前記物品のトップシートである、請求項１〜３のいずれか一項に記載の吸収性物品。
【請求項５】
前記着色剤が、染料成分を含み、好ましくは溶解された染料成分を含むか、又は溶解された染料成分と分散された粒子状染料成分とを含む、請求項１〜４のいずれか一項に記載の吸収性物品。
【請求項６】
前記着色剤が粒子状色素類を含む、請求項１〜５のいずれか一項に記載の吸収性物品。
【請求項７】
前記ローション組成物が、前記第１成分２５重量％〜７５重量％と、前記第２成分２５重量％〜７５重量％とを含む、請求項２又は３に記載の吸収性物品。
【請求項８】
前記ローション組成物が、少なくとも０．１ｇｓｍ、又は少なくとも１ｇｓｍ、又は少なくとも５ｇｓｍ、又は少なくとも１２ｇｓｍ、又は少なくとも１８ｇｓｍの量で前記皮膚接触シートに適用される、請求項１〜７の一項以上に記載の吸収性物品。
【請求項９】
前記皮膚接触シートが、前記ローション組成物を含む１つ以上の第１領域と、前記ローション組成物を含まない１つ以上の第２領域とを有し、前記第１領域のうち少なくとも１つが第１の色を有し、前記第２領域のうち少なくとも１つが第２の異なる色を有し、前記第１領域の前記第１の色と前記第２領域の第２の色との色差（ΔΕ）が少なくとも１．０、好ましくは少なくとも２．０、又は少なくとも３．０である、請求項１〜８のいずれか一項に記載の吸収性物品。
【請求項１０】
前記着色剤が、食品、医薬品及び化粧品用並びに／又は医薬品及び化粧品用の染料類並びに／又は色素類を１つ以上含む、請求項１〜９のいずれか一項に記載の吸収性物品。
【請求項１１】
前記ローション組成物が、ポリエチレングリコール又はポリエチレングリコール誘導体を含み、好ましくはａ）固体ポリエチレングリコール及び／又は固体ポリエチレングリコール誘導体と、ｂ）液体ポリエチレングリコール及び／液体ポリエチレングリコール誘導体とを含む、請求項１〜１０のいずれか一項に記載の吸収性物品。
【請求項１２】
ａ．前記第１液体成分が、液体ポリエチレングリコール及び／又は液体ポリプロピレングリコールを含み、前記第２成分が、ＨＬＢ値が少なくとも１０の固体の非イオン性界面活性剤を含み、ただし、前記固体の非イオン性界面活性剤がアルコキシル化（例えば、エトキシル化）脂肪族アルコールである場合には、前記ＨＬＢ値が少なくとも１３であるか、あるいは
ｂ．前記第１成分が、少なくとも１つの脂肪酸単位と少なくとも１つのエチレングリコール単位とを含んでなる液体脂肪酸エステルを含み、前記第２成分が、固体ポリエチレングリコール及び／又は固体ポリプロピレングリコールを含むか、あるいは
ｃ．前記第１成分が、液体ポリエチレングリコールを含み、前記第２成分が、固体脂肪酸類、固体脂肪石鹸、及び固体脂肪族アルコール類からなる群より選択される固体脂肪族化合物類である、請求項２に記載の吸収性物品。
【請求項１３】
前記吸収性物品が、失禁用物品、婦人衛生用物品、又は乳児用のおむつである、請求項１〜１２のいずれか一項以上に記載の吸収性物品。
【請求項１４】
親水性成分と着色剤とを含み、かつ、湿り度インジケータとして少なくとも３０％の水溶解度を有して、前記物品が身体滲出液と接触したことを表示する、親水性ローション組成物の、着用者によって装着される吸収性物品内での親水性ローション組成物における使用。
【発明の詳細な説明】
【技術分野】
【０００１】
本発明は、皮膚接触シート、例えばトップシートと、バックシートと、吸収性コアと、それらの上にあって、経血又は糞便の皮膚への付着を低下させる（ことによって、経血又はボウル移動（ＢＭ）の浄化し易さを改善する）着色された親水性ローション組成物とを含み、かつ、前記ローション組成物が、前記皮膚接触シートの色とは異なる色を前記ローション組成物に与える着色剤を含む、着用者によって装着される吸収性物品を目的とする。好ましい吸収性物品類は、トレーニングパンツを包含する幼児（乳児及び小児）用のおむつ類、成人用の失禁用物品類、婦人衛生用物品類等である。
【背景技術】
【０００２】
おむつ類及び生理用ナプキン類等のローションを含むトップシートを備えた使い捨て吸収性製品類は、例えば、着用者の皮膚に皮膚効果を送達することが当該技術分野において知られている。ここ数年、その焦点は、例えば植物成分類又は薬剤成分類をローション類に添加することによって、更なる皮膚効果をもたらすローションを生理用ナプキン類及びおむつ類に供給することであった。様々な種類のローション類は、おむつかぶれの予防又は治療等の、様々な皮膚効果をもたらすことも知られている。これらのローション類は、吸収性物品類のトップシートに塗布することができ、また、使用中に着用者の皮膚に移転可能である。米国特許第５，９６８，０２５号（ロー（Roe）ら）、ＰＣＴ国際公開特許第９７／０５９０８号、ＰＣＴ国際公開特許第９７／０５９０９号、及び米国特許出願公開第２００６／１４０９２４号には、皮膚へのＢＭの付着を軽減するためのローション含有トップシート類を有する、吸収性物品類が記載されており、このローション組成物類は主に疎水性である。米国特許第３，４８９，１４８号（ダンカン（Duncan）ら）は、疎水性でかつ疎油性のトップシートを備えたおむつを教示しており、前記トップシートの一部分は、油性材料の不連続フィルムでコーティングされている。しかしながら、ダンカン（Duncan）らの参考文献に開示されているおむつ類、及び疎水性ローション類で処理された他のおむつ類において、疎水性及び疎油性トップシート類は、その下方にある吸収性コア類への尿の移転を促進させるのが比較的遅い。
【先行技術文献】
【特許文献】
【０００３】
【特許文献１】米国特許第５，９６８，０２５号
【特許文献２】ＰＣＴ国際公開特許第９７／０５９０８号
【特許文献３】ＰＣＴ国際公開特許第９７／０５９０９号
【特許文献４】米国特許出願公開第２００６／１４０９２４号
【特許文献５】米国特許第３，４８９，１４８号
【発明の概要】
【発明が解決しようとする課題】
【０００４】
一方、発明者らは、皮膚への糞便又は経血の付着を軽減する手段がある程度講じられた、着用者によって装着される吸収性物品類、例えば、おむつ類、生理用ナプキン類等を提供するニーズが満たされていないことを見出した。あらゆる糞便又は経血の除去が、物品の使用後に改善されていることが更に望ましい。更には、望ましい流体獲得及び分配特性も保持されるべきであり、また、着用者の快適さも保証されなければならない。
【０００５】
親水性ローション組成物類が提供されると、着用者の皮膚への身体滲出物の付着軽減を達成できることが分かった。
【０００６】
更に、本発明者らは、前記先行文献の疎水性ローション類とは異なり、親水性ローション組成物に着色剤を添加することで着色して、身体滲出物を受容し得る吸収性物品の表面に塗布すると、それらが接触した（例えば、ＢＭ、尿、血液で濡れた）途端に着色剤が物品中に移動することを見出した。これは、使用者又は介護者に、物品を交換する必要があるかもしれないという合図を送ることができる場合がある。それはまた、ローション組成物が皮膚に移転する合図をもたらす場合もある。
【課題を解決するための手段】
【０００７】
本発明は、バックシートと、皮膚接触シートと、吸収性コアとを含み、かつ、前記皮膚接触シートが、親水性成分と着色剤とを含有する親水性ローション組成物を含み、前記ローション組成物が少なくとも３０％、典型的には少なくとも４０％の水溶解度を有する、着用者によって皮膚に当てて装着される吸収性物品に関する。
【０００８】
別の実施形態では、本発明は、バックシートと、皮膚接触シートと、吸収性コアとを含む、着用者によって皮膚に当てて装着される吸収性物品であって、前記接触皮膚シートが、ｉ）２５℃で液体である第１成分と、ｉｉ）２５℃で固体である第２成分とを含むローション組成物を含み、前記第１成分が、ａ）液体多価アルコール溶媒類、又は好ましい実施形態では、液体ポリエチレングリコール、液体ポリプロピレングリコール、液体ポリエチレングリコール誘導体類、及び／又は液体ポリプロピレングリコール誘導体類、並びにｂ）少なくとも１つの脂肪酸単位と少なくとも１つの（ポリ）エチレングリコール単位及び／又は（ポリ）プロピレングリコール単位とを含む液体脂肪酸エステル類からなる群より選択される１つ以上の化合物類を含み、
前記第２成分が、
（ｃ）固体ポリエチレングリコール類、固体液体ポリプロピレングリコール、固体ポリエチレングリコール誘導体類及び／又は固体液体ポリプロピレングリコール誘導体類、
（ｄ）ＨＬＢ値が少なくとも１０の固体非イオン性界面活性剤類、
（ｅ）固体脂肪酸類、固体脂肪石鹸類、及び固体脂肪族アルコール類からなる群より選択される固体脂肪族化合物、並びに
（ｆ）エトキシル化天然油脂類、及びプロポキシル化天然油脂類
からなる群より選択される１つ以上の化合物類を含んでおり、
前記ローション組成物が（例えば、前記第１成分及び／又は前記第２成分で構成される前記ローション組成物が）着色剤を含む、前記吸収性物品に関する。
【０００９】
皮膚接触シートは、例えば、カフ及び／又はトップシート、好ましくは物品のトップシートである。ローション組成物は、前記シートの中に、若しくはその一部の上に、又は前記シートの中、若しくはその全体の上に、例えば前記シートの一部の上に、例えば、シングル・ストライプとして、又は、例えば複数本のストライプを包含するパターン形態で存在することができる。
【００１０】
着色剤、又はその成分は、水分散性又は油分散性であってもよい。着色剤は、本明細書に記載したように、染料成分を含んでいてもよい。着色剤は（また）、色素を含んでいてもよい。着色剤の成分類は、ローション組成物内で溶解及び／又は分散することができ、例えば、ローション組成物は、染料粒子類若しくは色素粒子類を包含する分散性を有する故に分散された着色成分（類）、及び／又は溶解された染料（類）を包含する溶解性がある故に溶解された着色成分（類）を含んでいてもよい。
【００１１】
吸収性物品は、好ましくは、幼児（例えば、乳児、小児）用のおむつ、又はパッド若しくはおむつのような成人用の失禁用物品、あるいは生理用ナプキンのような婦人衛生用物品である。
【００１２】
本発明者らは、着色剤を親水性ローション組成物中に混入する場合、前記着色剤又はその一部が、物品が濡れる（例えば、ＢＭ、尿、血液と接触する）と、物品を交換する必要があるかもしれないという合図を使用者又は介護者に送る、まさにその程度まで、物品の中へ移動できることを見出した。
【００１３】
好ましくは、前記皮膚接触シートは、前記ローション組成物を含む１つ以上の第１領域と、前記ローション組成物を含まない１つ以上の第２領域とを有し、前記第１領域のうち少なくとも１つが第１の色を有し、前記第２領域のうち少なくとも１つが第２の異なる色を有することで、第１領域の前記第１の色と第２領域の第２の色との色差（ΔＥ）は少なくとも１．０、好ましくは少なくとも２．０、又は少なくとも３．０である。色差は、上述のように第１の色と第２の色それぞれの間であり、並びに／又は前記第１領域及び前記第２領域のそれぞれ及び全てに関することが好ましい場合がある。
【００１４】
あるいは、本明細書に記載の試験法に従って基準白色と比較すると、先に詳述したようなΔＥを有するような色の前記ローション組成物を含む、皮膚接触シート。
【発明を実施するための形態】
【００１５】
本明細書で使用するとき、次の用語は次の意味を有する。
【００１６】
本明細書において、「含む」及び「包含する」とは、最終結果に影響しない他の要素及び／又は他の工程を加えることができることを意味する。これらの用語はそれぞれ、「から成る」及び「から本質的に成る」という用語を包含する。
【００１７】
本明細書において、「身体に面する表面」とは、吸収性物品類及び／又はその構成要素材料類の、着用者の身体に向いている表面を指し、一方で「衣類に面する表面」とは、前記表面とは反対側の、吸収性物品を装着した時に着用者から見て外側に向いている吸収性物品類及び／又はその構成要素材料類の表面を指す。
【００１８】
本明細書において、「身体」とは、皮膚及び毛髪を包含する哺乳類の表皮組織で形成される外層を指す。
【００１９】
本明細書で使用するとき、「吸収性物品」とは、身体から排出される様々な滲出物を吸収及び収容するために、着用者の皮膚に当てて装着することが意図される装置を指す。本発明の吸収性物品類としては、パンツ様のおむつ類を包含するおむつ類、例えばおむつ及びパッドを包含する失禁用物品類、並びに、例えば生理用ナプキンを包含する婦人衛生用物品類が挙げられる。
【００２０】
本明細書で使用するとき、用語「おむつ」とは、幼児（例えば、乳児又は小児）によって当該着用者の胴体下部の周囲に一般に装着される、吸収性物品を指す。好適なおむつは、例えば米国特許第３，８６０，００３号（ブエル（Buell）、１９７５年１月１４日発行）、同第５，１５１，０９２号（ブエルら、１９９２年９月２９日発行）、同第５，２２１，２７４号（ブエルら、１９９３年６月２２日発行）、及び同第５，５５４，１４５号（ロー（Roe）ら、１９９６年９月１０日発行）に開示されている。本明細書で使用するとき、用語「おむつ」には「パンツ形体のおむつ類」も含まれており、パンツ形体のおむつとは、固定された側部と脚用の開口部とを有する吸収性物品を指す。パンツ形体のおむつ類は、着用者の脚を脚用の開口部に挿入して、着用者の胴体下部の周囲の所定の位置までパンツ形体のおむつ類をスライドさせることによって、着用者の所定の位置に配置される好適なパンツ形体のおむつ類は、例えば、米国特許第５，２４６，４３３号（ハッセ（Hasse）ら、１９９３年９月２１日発行）に開示されている。
【００２１】
本明細書で使用するとき、「失禁用物品」とは、着用者によって装着される吸収性物品を指し、パッド類、肌着類、吸収性物品類用の挿入物、吸収性物品類用の容量増加物類、ブリーフ類、ベッドパッド類が挙げられる。好適な失禁用物品類は、例えば、米国特許第４，２５３，４６１号（ストリックランド（Strickland）ら、１９８１年３月３日発行）、同第４，５９７，７６０号及び同第４，５９７，７６１号（ブエル（Buell）に発行）、上記の同第４，７０４，１１５号、同許第４，９０９，８０２号（アール（Ahr）らに発行）、同第４，９６４，８６０号（ギプソン（Gipson）ら、１９９０年１０月２３日発行）、並びにＰＣＴ国際公開特許第９２／１１８３０号（ノエル（Noel）ら、１９９２年７月２３日公開）に開示されている。
【００２２】
本明細書で使用するとき、「使い捨て」は、一回使用した後で洗濯することも、修復することも、ないしは別の方法で吸収性物品として再利用することも意図されない、一回使用するための吸収性物品類を説明するために用いられる。
【００２３】
本明細書で使用するとき、用語「長手方向」は、吸収性物品を装着するときに、立位の着用者を左半身と右半身に二分する垂直平面と一般に一直線になる（例えば、ほぼ平行になる）、吸収性物品の平面内にある線、軸線、又は方向を指す。本明細書で使用されるとき、用語「横断方向」又は「横方向」は、置き換え可能であって、長手方向に対して一般に垂直な吸収性物品の平面内にある線、軸線、又は方向を指す。
【００２４】
本明細書で使用するとき、用語「移動する」、「移動」、又は「移動すること」とは、ローション組成物が、物品内で材料の上を移動するか又は材料に浸透する（例えば、その中に入る）という手段によって、ある位置から別の位置へ移動することを表す。
【００２５】
本明細書で使用するとき、ローション組成物との関連において使用する場合の用語「移転する」とは、ローション組成物が、移動によってではなく、吸い取り効果におけるように、皮膚又は前記の他の領域とローション組成物との直接接触によって、吸収性物品上のある領域から着用者の皮膚へ、又は吸収性物品上の別の領域へ動くことを指す。
【００２６】
本明細書で使用するとき、「粒子状物質」とは、このローション組成物を吸収性物品に塗布する前はローション組成物に不溶であるか又は非分子的に分散性であり、そして吸収性物品に適用したときに粒子状の形態を維持している、ローション組成物の成分を指す。それには、当該技術分野において既知であるように、顆粒、ビーズ、球体、微小球、粉末等の全ての種類の粒子状の形態が包含される。
【００２７】
用語「付着の軽減」と「非粘着性」とは同義に使用される。これは、非粘着性ローション組成物を含まない物品と比較すると、糞便又は血液が皮膚にほとんど残留していないこと、及び／又は吸収性物品を装着している着用者のヒトの皮膚への糞便又は経血の付着が、例えば前記ローション組成物を有しない吸収性物品を（典型的には繰り返し使用して）装着しているときに、観察される糞便又は血液の付着に比べて軽減されることを表す。
【００２８】
本明細書において、用語「糞便」並びに「ボウル移動」及び「ＢＭ」は、置き換え可能に使用される。
【００２９】
本明細書に示す全ての分子量の単位は、ダルトンである。
【００３０】
本発明のローション組成物類
本発明のローション組成物は、親水性ローションであり、これは、本明細書における一実施形態では、（本明細書中に記載するような方法に従って求められるとき、）少なくとも３０％の水溶解度を示すことを表し、典型的には少なくとも４０％、又は少なくとも４５％、又は少なくとも５０％、所望により最大６５％又は最大６０％の水溶解度（を有するような親水性）を示す場合があることを表す。本明細書における一実施形態では、ローション組成物は、特許請求の範囲の請求項２に定義する通りであって、本明細書において以降で更に説明する。それは更にまた、先に詳述したような親水性及び／又は水溶解性を示す場合もある。
【００３１】
ローション組成物は、皮膚接触シート、例えばトップシート及び／又はカフ類の中に若しくはその一部の上に、あるいは皮膚接触シートの中に若しくはその全体の上に存在する。一実施形態では、吸収性物品は、そのトップシートの一部の上又はその全体の上に前記ローション組成物を含んでいる。好ましくは、ローション組成物は、使用時に皮膚に容易に移転できるように、使用時に使用者に面した前記シートの少なくとも表面に存在するか又はその表面にのみ存在することが好ましい場合もある。それは、皮膚接触シート、例えば、その皮膚接触表面にどのような手段で塗布してもよい。本明細書で使用するとき、「塗布する」とは、前記シート又はその表面若しくはその一部が、ローション組成物の少なくとも一部が使用中に着用者の皮膚と接触できるように、その表面のうちの一つの少なくとも一部の上にローション組成物の少なくとも一部の層を少なくとも含んでいることを表す。
【００３２】
本明細書におけるローション組成物は、好ましくは好適なプロセス条件、例えば、５０℃超、又は６０℃超、又は８０℃超、又は所望により１００℃超では流動性を有する（例えば、液体である）が、２５℃の温度では固体又は半固体（あるいは非流体）である。本発明のローション組成物は、典型的には非流動性であり、言い換えれば、２５℃、すなわち周囲温度では固体又は更に多くの場合は半固体であることで、ローション組成物の移動を最小限に抑える。「半固体」とは、ローション組成物が、典型的には擬塑性体又は塑性流体のレオロジーを有することを意味する。剪断力を加えない場合、ローション組成物類は見かけ上は固体であり得るが、剪断速度が増加するにつれて流動性になることができる。本明細書における一実施形態では、このことは、ローション組成物が２５℃で固体の成分を含有する一方で、２５℃で液体の成分をも包含するという事実に起因し得る。（各々の成分自体はそれぞれ、１つ以上の化合物類から構成されていてもよい。）ローション組成物の最終融点（９５％超が液体）は、好ましくは、潜在的な「ストレスが多い」保存状態よりも高く、４５℃以上の可能性がある。
【００３３】
本明細書において使用するとき、半固体又は固体とは、物質（例えば、ローション組成物、その成分又はその化合物）１ｇを直径１５ｃｍの円形ガラス板の中央に置いて、ガラス板を２５℃及び相対湿度５０％の条件下で４５°に傾けたときに、１分以内にガラス板から流れ出さないことを表す。
【００３４】
（上記の試験法に準拠して）固体又は半固体のいずれかである成分類又は化合物類を全て、本明細書中では「固体化合物又は固体成分」と呼ぶ。（上記の試験法に準拠して）固体でも半固体でもない成分類又は化合物類はいずれも、本明細書では「液体化合物又は液体成分」と呼ぶ。
【００３５】
一実施形態では、ローション組成物は、２５℃の試験温度において３重量％〜９０重量％が液体成分であるようなものである。一実施形態では、本発明によるローションは、１０重量％〜８０重量％、又は２０重量％〜７５重量％、又は３０重量％〜６０重量％、又は４０重量％〜５０重量％が２５℃の試験温度で液体である。２５重量％〜７５重量％、あるいは３０重量％〜８０重量％は、３７℃の体温において液体であり得る。
【００３６】
２５℃では、前記固体成分はローション組成物の１０〜９７重量％、又は２０〜８０重量％、又は３０〜７０重量％の濃度で存在している場合がある。
【００３７】
一実施形態では、２５℃では、液体化合物類又は液体成分の総量は、固体化合物類又は成分の総量よりも多く、例えば、液体化合物類又は液体成分の量は、５０重量％超、又は少なくとも５５重量％、又は少なくとも６０重量％である。吸収性物品に塗布した場合、本発明のローション組成物は、通常の接触、着用者の動き（要するに、発生する摩擦）、及び／又は身体の熱によって着用者の皮膚に移転可能である。
【００３８】
ローション組成物は、粒子状の固体着色剤を含んでいてもよく、一実施形態では更に、本明細書において以降で説明するような追加の粒子状物質を含んでいてもよく、その上、それらは共に、本発明の目的では（例えば、本明細書において重量濃度又は重量比を測定する場合は）固体成分（２５℃で固体）に包含される。
【００３９】
ローション組成物の量は、典型的には、それが、ローション組成物を含まない吸収性物品に比べて、吸収性物品を装着している着用者のヒトの皮膚への糞便又は経血の付着軽減を達成するような量であるべきである。理論に束縛されるものではないが、本明細書におけるローション組成物は、汚れ又は滲出物と皮膚表面との間の付着力が汚れ又は滲出物内の凝集力よりも小さいために前記付着力を低下させる場合があり、その結果、（例えば、拭うことによって生じるような）剪断力を付加したときに汚れ又は滲出物を皮膚表面から分離させることができると考えられている。
【００４０】
本発明による好適な量は、１平方メートル当り約０．０１５グラム（ｇｓｍ）〜約１００ｇｓｍ、又は１ｇｓｍ〜約８０ｇｓｍ、又は６ｇｓｍ〜５０ｇｓｍ、又は１２ｇｓｍ〜４０ｇｓｍ、又は１６ｇｓｍ〜３０ｇｓｍ、又は例えば２２〜２６ｇｓｍであってもよい。
【００４１】
典型的には、ローション組成物は、トップシートの少なくとも一部の上に、例えば前記の量で塗布される。
【００４２】
驚くことに、ローション組成物に粒子類又はビーズを添加することで、皮膚へのＢＭ又は血液の付着を更に軽減するのに役立つ場合があり、特に粒子類又はビーズが、１つ以上のエステル基、ケトン基、若しくはポリアルコール基、又はアルコキシル化基（類）、例えば、デンプン若しくはアルコキシル化（例えば、エトキシル化）ポリエチレンを有する有機化合物類、又は無機化合物類、例えば、タルク、シリカ、粘土、絹雲母（本明細書に記載した着色剤以外のもの）であることも分かった。かかる好ましいビーズ並びにそれらの特性及び量については、以下に更に説明する。
【００４３】
代表的な粒子類又はビーズは、以下の同じ欄にも更に記載されているように、ポリプロピレン及び／又はポリエチレン（コ）ポリマー粒子類、並びにポリテトラフルオロエチレン粒子類である。
【００４４】
理論に束縛されるものではないが、かかる粒子類又はビーズの添加は、それが皮膚への付着軽減をもたらす一方で、ローションが尿等の身体滲出物に溶解（することでローションが吸収性物品を洗い落とすか又は物品に洗い流すことができないように）するほど親水性ではないように、ローションの水溶解性、ひいてはローションの親水性を制御するのに役立つ場合があると考えられる。そのことは、粒子類又はビーズがある一定の親水性を有するが、それほど疎水性でもない場合に、有益な可能性があることも分かった。
【００４５】
これら粒子類又はビーズは、例えば、最大３５重量％、又は最大２０重量％、又は最大１５重量％であって、例えば最小０．１重量％、又は最小０．５重量％、又は最小３重量％、又は最小５重量％の任意の濃度で添加することができる。代表的な粒子の寸法、分布（等）について、以下に詳細に説明する。
【００４６】
一実施形態では、ローション組成物は、ｉ）２５℃で液体である第１成分と、ｉ）２５℃で固体である第２成分とを含み、前記第１成分は、
液体多価アルコール溶媒類、液体ポリエチレングリコール、液体ポリプロピレングリコール、液体ポリエチレングリコール誘導体類、液体ポリプロピレングリコール誘導体類、及びＨＬＢ値が少なくとも１０の液体非イオン性界面活性剤類、並びに少なくとも１つの脂肪酸単位と少なくとも１つの（ポリ）エチレングリコール単位及び／又は（ポリ）プロピレングリコール単位とを含む液体脂肪酸エステル類からなる群より選択される１つ以上の化合物類を含み、
前記第２成分は、
（ｃ）固体ポリエチレングリコール類、固体液体ポリプロピレングリコール、固体ポリエチレングリコール誘導体類、固体液体ポリプロピレングリコール誘導体類、
（ｅ）ＨＬＢ値が少なくとも１０の固体非イオン性界面活性剤類、
（ｆ）固体脂肪酸類、固体脂肪石鹸類、及び固体脂肪族アルコール類からなる群より選択される固体脂肪族化合物類
からなる群より選択される１つ以上の化合物類を含んでおり、
前記第１成分及び／又は前記第２成分には、着色剤が含まれている。
【００４７】
第１液体成分と第２固体成分との重量比は、例えば、１：３２〜９：１、又は１：９〜９：１、又は２：８〜８：２、又は３：７〜７：３であってもよい。
【００４８】
好ましくは、ローション組成物は、本質的に非水性である。非水性とは、ローション組成物類が水を全く含有しないか、又はそれらが水を、５重量％未満あるいは１重量％未満のように少量のみ含有するかのいずれかであることを表す。ただし、これらの量は、吸収性物品の製造時点におけるローション組成物、すなわちローション組成物が吸収性物品に塗布されるときまでのローション組成物に言及される。本発明のローション組成物は、吸湿性であってもよく、それ故に、かなりの量の水をその周囲雰囲気から、特に高い相対湿度の環境において吸収することができる場合がある。したがって、吸収性物品を比較的長期間、例えば相対湿度５０％及び２５℃において折畳まない状態で少なくとも２ヶ月間保存した場合、ローション組成物中に含有される水の量は５重量％超まで増加する可能性がある。
【００４９】
本明細書における一実施形態では、親水性ローションは、着色剤に加えて、本明細書に記載するように、１つ以上、又は２つ以上の次の化合物類、好ましくは、少なくとも１つの固体化合物と少なくとも１つの液体化合物とを含んでいてもよい。
【００５０】
液体多価アルコール溶媒類
液体多価アルコール溶媒類は、本明細書で使用するとき、少なくとも２個の炭素原子と少なくとも２個のアルコールヒドロキシ基を有し、かつ２５℃で液体である有機化合物類であって、本発明の目的としては別個の好ましい群として本明細書において以下に記載されるように、ポリエチレングリコール類、ポリプロピレングリコール類、及び誘導体類を除く有機化合物類である。例は、グリセロール、エチレングリコール、ジエチレングリコール、プロピレングリコール、ブチレングリコール、ジプロピレングリコール、メチルプロパンジオール、及びそれらの誘導体であって、例えば、モノ−又はジ−エンドキャップされたジエチレングリコール類、モノ−又はジ−エンドキャップされたジプロピレングリコール類、モノ−又はジ−エンドキャップされたエチレングリコール類、並びにモノ−又はジ−エンドキャップされたプロピレングリコール類であって、上述のようにエンドキャップされた単位を有するものが挙げられる。
【００５１】
本明細書において好ましい液体化合物類としては、エトキシル化脂肪酸類、例えば、ＰＥＧ−８ラウレートであって、例えば、リポペグ４−Ｌ（Lipopeg 4-L）としてリポ・ケミカルズ（Lipo Chemicals）から入手可能なもの、エトキシル化脂肪酸エステル（油）、例えば、ＰＥＧ−２５ヒマシ油であって、例えば、ヘトキシドＣ−２５（hetoxide C-25）としてグローバル−セブン社（Global-Seven Inc.）から入手可能なもの、例えばＰＥＧ−１０ポリグリセリル−２ラウレートなどのグリセロールエステル類であって、例えば、ホスタセリンＤＧＬ（Hostacerin DGL）としてクラリアント社（Clariant Corp.）から入手可能なもの、アルコレックＢＳ（Alcolec BS）としてアメリカン・レシチン社（American Lecithin Co.）から入手可能なもの等のレシチン、Ｃ８〜Ｃ１０アルキル多糖エーテル等のポリマー界面活性剤類であって、例えば、グルコパン２２５  ＤＫ（Glucopan 225 DK）としてコグニス社（Cognis Corp.）から入手可能なもの）、例えばクローダ社（Croda Inc.）から入手可能なＰＯＥ（２０）ソルビタンモノパルミテート等のソルビタン誘導体類、シマルソルＡＳ４８（Simulsol AS48）としてセピック社（Seppic Inc.）から入手可能なアルキルポリグルコシド等のスクロースエステル及びグルコースエステル及び誘導体類が挙げられる。
【００５２】
液体ポリエチレングリコール類及び誘導体類、並びに液体ポリプロピレングリコール及び誘導体類。
【００５３】
液体ポリエチレングリコール類及び誘導体類は、２５℃で液体である。ポリエチレングリコール類（ＰＥＧ類）は、エチレングリコール少なくとも３単位から作製され、一般式ＨＯ−（ＣＨ２−Ｏ−ＣＨ２−Ｏ）ｘ−Ｈを有し、ここでｘは３〜１５まで、又は８〜１２までの数である。分子量（重量平均）は、１００〜７２０未満、好ましくは１００又は３５０〜７００である。典型的な液体ポリエチレングリコール類は、ＰＥＧ−４、ＰＥＧ−６、ＰＥＧ−７、ＰＥＧ−８、ＰＥＧ−９、ＰＥＧ−１０、ＰＥＧ−１２、及びＰＥＧ−１４として公知である。好適な商品類は、例えば、クラリアント（Clariant）製の平均分子量３８０〜４１０のポリグルコール４００（Polyglykol 400）、又は平均分子量５７０〜６３０のポリグルコール６００（Polyglykol 600）である。
【００５４】
液体ＰＥＧ及びＰＰＧ誘導体類としては、ＰＥＧ及びＰＰＧのエステル類及びエーテル類を挙げることができる。ＰＥＧ及びＰＰＧの液体誘導体類としては、特にＰＥＧ類及びＰＰＧ類（例えば、上記のようなもの）であるが、１つ以上の（それぞれがモノ又はジエンドキャップされた）エンドキャップ基を有するものであって、ヒドロキシル基と反応し得る有機化合物に由来するものが挙げられる。好ましいエンドキャップ基類としては、メチル、エチル、プロピル、イソプロピル、ブチル、イソブチル、ｔｅｒｔ−ブチル、及びベンジル、例えば、モノ−又はジ−メチル又は−エチルエンドキャップされたＰＥＧあるいはＰＰＧが挙げられる。一部の実施形態では、メチルが、好ましいエンドキャップ単位である場合がある。
【００５５】
本発明において有用な更なるポリプロピレン類及びエンドキャップ単位類は、同時継続出願である２００７年２月１６日出願の米国特許出願６０／９０１７９３号に記載されている。
【００５６】
好ましい液体モノ−エンドキャップされたＰＥＧは、例えば、ポリエチレングリコールモノメチルエーテルであって、例えばポリグリコールＭ４００（Polyglykol M400）としてクラリアント社（Clariant Corporation）から入手可能である。好ましい液体ＰＥＧとしては、ＭＷが５００のポリエチレングリコールジメチルエーテル（シグマ・アルドリッチ（Sigma Aldrich）から入手可能なもの）も挙げられる。
【００５７】
本明細書では、液体エチレンオキシド−プロピレンオキシドコポリマー類及びポリエチレン−ポリプロピレンブロックコポリマー類（ＥＯ−ＰＯブロックコポリマー類）、例えば、クラリアント社（Clariant Corp.））製のジェナポールＰＦ１０−（Genapol PF10-）ＥＯ−ＰＯブロックコポリマーも有用である。
【００５８】
液体アルキレン（例えば、エチレン）グリコール脂肪酸エステル類
好適な液体アルキレン（又は好ましくはエチレン）グリコール脂肪酸エステル類は、例えば、１つ以上のアルキレングリコール単位、好ましくはエチレングリコール単位と１つ又は２つの脂肪酸類とのエステル類である。好ましい化合物は、一般式
Ｒ１−（ＯＣＨ２ＣＨ２）ｍＯ−Ｒ２を有し、前記式中、Ｒ１及びＲ２は、水素、又は例えば炭素原子数６〜３０又は８〜２２の脂肪酸残基であって、同一であるか、又は両方が水素でなければ異なる可能性も有り、ｍは少なくとも１の数である。好ましくは、Ｒ１とＲ２は異なり、ｍは１、２、又は３である。典型的なエチレングリコールエステル類は、例えば、ジエチレングリコールジエチルヘキサノエート／ジイソノナノエート、ジエチレングリコールジイソノナノエート、ジエチレングリコールジラウレート、ジエチレングリコールジオクタノエート／ジイソノナノエート、及びジエチレングリコールジステアレートとして公知である。エチレングルコールエステル類を含有する好適な商品混合物は、例えば、ダーモル（DERMOL）ＭＯ又はダーモル４８９である。室温（２５℃）で液体であるワックスエステル類が好ましい。それらは、ホホバ油などの天然供給源由来であってもよく、ドコセニルエイコセノエート、エイコセニルエイコセノエート、及びエイコセニルドコセノエートが含まれる。
【００５９】
固体ポリエチレングリコール及びポリプロピレングリコール類、並びにそれらの誘導体類
固体ポリエチレングリコール類、ポリプロピレングリコール類、及びそれらの誘導体類は、本明細書で定義するように、２５℃で固体（又は先に定義したような半固体）である。固体ポリエチレングリコール類は、典型的には、エチレングリコールの少なくとも１６単位から作製され、一般式ＨＯ−（ＣＨ２−Ｏ−ＣＨ２−Ｏ）ｙ−Ｈを有し、前記式中、ｙは少なくとも１６、例えば、２０〜２２０、又は４０〜１５０の数である。分子量（重量平均）は、７２０超、例えば、７２０〜１０００００、又は９５０又は１５００又は２０００又は２７００〜３００００である。典型的な固体ポリエチレングリコール類は、ＰＥＧ−２０、ＰＥＧ−３２、ＰＥＧ−４０、ＰＥＧ−４５、ＰＥＧ−５５、ＰＥＧ−６０、ＰＥＧ−７５、ＰＥＧ−９０、及びＰＥＧ−１００として公知である。好適な商品は、例えば、クラリアント（Clariant）製の平均分子量２７００〜３０００のポリグリコール３０００（Polyglykol 3000）又は平均分子量３７００〜４５００のポリグリコール４０００である。
【００６０】
固体ＰＥＧ及びＰＰＧ誘導体類としては、ＰＥＧ類及びＰＰＧ類のエステル類及びエーテル誘導体類を挙げることができる。固体誘導体類としては、特に、上記のもののように１つ以上のエンドキャップ基（それぞれモノ又はジエンドキャップされたもの）を有するＰＥＧ類及びＰＰＧ類（例えば、前記のようなもの）が挙げられる。
【００６１】
例えば、固体モノ−エンドキャップされたＰＥＧ、例えばポリグリコールＭ４０００（Polyglykol M4000）（クラリアント社（Clariant Corporation）製ポリエチレングリコールモノメチル）を使用してもよく、及び／又は固体ジ−エンドキャップされたＰＥＧ、例えば、ＭＷ２０００のポリエチレングリコールジメチルエーテル（シグマ・アルドリッチ（Sigma Aldrich）製）を使用してもよい。
【００６２】
また本明細書では、固体ＥＯ−ＰＯコポリマー類、及び、例えばクラリアント社（Clariant Corp.）製のＥＯ−ＰＯブロックコポリマーであるジェナポールＰＦ８０（Genapol PF80）のようなＥＯ−ＰＯブロックコポリマー類も有用な場合がある。
【００６３】
固体非イオン性界面活性剤類
ＨＬＢ値が少なくとも１０の好適な固体非イオン性界面活性剤類としては、固体ＰＥＧ由来の非イオン性界面活性剤類、固体ポリアルキレングリコール脂肪族アルコールエーテル類、例えば固体ポリエチレングルコール脂肪族アルコールエーテル類、又は例えば固体ポリエトキシル化脂肪族アルコール類が挙げられる。脂肪族アルコール類単位は、８〜３０個の炭素原子、好ましくは１２〜２２個の炭素原子を有していてもよい。平均アルコキシル化度、例えば、エトキシル化度は、２〜２００、好ましくは少なくとも１０、少なくとも２０、又は少なくとも３０であってもよい。好ましくは、これら界面活性剤類は、ＨＬＢ値が少なくとも１０、少なくとも１２、又は少なくとも１３、例えば最大１７の非イオン性界面活性剤類である。ポリエチレングリコール脂肪族アルコールエーテル類は、一般式Ｒ（ＯＣＨ２ＣＨ２）ｎＯＨを有し、前記式中、Ｒは、例えば炭素原子数８〜３０又は１２〜２２のアルキル基又はアルキル基類のブレンドを表し、ｎは、エトキシル化度、例えば２〜２００である。好適なＰＥＧ由来の界面活性剤としては、ＰＥＧ−１２ステアレート、ＰＥＧ−１００ステアレート、例えば、エボニック／デグッサ（Evonik/Degussa）製のテゴ・アシッドＳ  １００  Ｐ（Tego Acid S 100 P）として入手可能なものが挙げられる。
【００６４】
好適な商品としてはまた、例えば、ブリッジ（BRIJ）７６、ブリッジ７８、及びブリッジ７００（クローダ社（Croda Inc.）から入手可能なステアレス１００）も挙げられる。
【００６５】
他の好ましい界面活性剤類としては、セテラエス−１０、セテアレス−２０、ポリソルベート−６５が挙げられる。また、ラウレス２３を使用してもよい。
【００６６】
好適な脂肪族アルコール脂肪酸エステル類は、Ｃ１０〜Ｃ３０脂肪族アルコールとＣ１０〜Ｃ３０−脂肪酸とのエステル類である。それらは、一般式Ｒ３−ＣＯ−Ｏ−Ｒ４を有し、前記式中、Ｒ３−ＣＯはＣ１０〜Ｃ３０脂肪酸残基であり、Ｏ−Ｒ４はＣ１０〜Ｃ３０脂肪族アルコール残基である。それらは、飽和又は不飽和であってもよい。
【００６７】
他の好適な非イオン性界面活性剤は、例えば、エトキシル化アルコール類、エトキシル化脂肪酸類、エトキシル化脂肪酸エステル類及び油類、グリセロールエステル類、スクロースエステル及びグルコースエステル並びにそれらの誘導体、グルコシド類、ソルビタン誘導体類、例えば、ソルビタンモノパルミテートである。
【００６８】
その他の好ましい化合物類としては、ＰＥＧ４０水素添加ヒマシ油、ＰＥＧ−２０ソルビタンモノオレエート、ＰＥＧ−２００ヒマシ油等のＰＥＧ油類であって、例えばヘトキシド（Hetoxide）Ｃ−２００としてグローバル−セブン社（Global-Seven Inc.）から入手可能であるもの、グリセロールエステル類、例えば、デカグリセロールモノ／ジオレエートであって、キャプロールＰＧＥ８６０（Caprol PGE860）としてアビテック社（Abitec Corp.）から入手可能なもの、大豆リン脂質類等のレシチン誘導体類であって、例えばアルコレック・パウダー（Alcolec Powder）としてアメリカン・レシチン社（American Lecithin Co.）から入手可能なもの、ポリソルベート６５等のソルビタン誘導体類であって、例えばリポソルブＴＳ−２０（Liposorb TS-20）としてリポ・ケミカルズ（Lipo Chemicals）から入手可能なもの、サクシノグリカン等のスクロースエステル及びグルコースエステル並びに誘導体類であって、例えばレオザン（Rheozan）としてローディア社（Rhodia, Inc.）から入手可能なものが挙げられる。
【００６９】
固体脂肪族化合物類：
固体脂肪族化合物類は、脂肪酸類、固体脂肪石鹸類、及び固体脂肪族アルコール類からなる群より選択される。固体脂肪族化合物類は、２５℃で固体（又は本明細書において記載した方法に従って、２５℃において少なくとも半固体）である。脂肪族化合物類は、好ましくは１０〜３０個、又は１２〜２２個の炭素原子を有している。脂肪族化合物類は飽和又は不飽和であることができ、またそれらは直鎖又は分枝であることができる。飽和の直鎖脂肪族化合物類が好ましい。固体脂肪酸類の例は、デカノン酸、ラウリン酸、ミリスチン酸、パルミチン酸、ステアリン酸、アラキン酸、又はベヘン酸である。好ましい固体脂肪族アルコール類は、炭素原子数が少なくとも１２の直鎖の不飽和１−アルカノール類である。固体脂肪族アルコール類の例は、ラウリルアルコール、ミリスチルアルコール、セチルアルコール、ステアリルアルコール、アラキジルアルコール、又はベヘニルアルコールである。
【００７０】
固体脂肪石鹸類は、金属石鹸類であって、脂肪酸類の金属塩類である。脂肪石鹸類の脂肪酸成分類は、上記と同じものである。好適な金属カチオン類は、ナトリウム、カリウム、リチウム、アルミニウム、マグネシウム、カルシウム、マンガン、鉄、ジルコニウム、セリウム、亜鉛、コバルト、又はバナジウムである。カルシウム塩又はマグネシウム塩のような低水溶解性の金属石鹸類、例えば、ステアリン酸カルシウムが好ましい。
【００７１】
代表的な組成物類：
第１液体成分は、本明細書に記載されているような、次のものからなる群より選択される１つ以上の化合物類を含むことができる。メトキシイソプロパノール、プロピルエーテル、ジプロピレングリコールブチルエーテル、メチルプロパンジオール、プロピレンカーボネート、エチレングリコール類、ジエチレングリコール類、プロピレングリコール類、ジプロピレングリコール類、グリセリン、ソルビトール、水素化デンプン加水分解物、シリコーングリコール類、若しくは上述のもののうちいずれか、又は上記に例示されたポリエチレングリコール若しくは誘導体類、ポリプロピレングリコール若しくは誘導体類、ポリエチレングリコール由来の界面活性剤類、ポリプロピレン由来の界面活性剤類、エチレングリコール若しくは誘導体類、プロピレングリコール若しくは誘導体類、ジエチレングリコール若しくは誘導体類、及びジプロピレングリコール若しくは誘導体類。
【００７２】
第２固体成分は、例えば、次のものを包含する群の（先に定義されたような）固体化合物類を１つ以上含むことができる。固体ポリエチレングリコール若しくはそれらの誘導体類、固体ポリプロピレングリコール若しくはそれらの誘導体類、ＨＬＢ値が少なくとも１０の固体非イオン性界面活性剤類、固体脂肪酸類、固体脂肪石鹸類、及び固体脂肪族アルコール類からなる群より選択される固体脂肪族化合物類、固体ＰＥＧ由来の界面活性剤類、固体ＰＰＧ由来の界面活性剤類、エトキシル化天然脂肪類又はプロポキシル化天然脂肪類、例えば、ＰＥＧ−１５０ホホバ。
【００７３】
代表的なローション組成物は、次のようなものであってもよい。
【００７４】
前記第１液体成分が、液体ポリエチレングリコールを含んでいてよく、前記第２成分が、ＨＬＢ値が少なくとも１０の固体の非イオン性界面活性剤を含んでいてよく、ただし、前記固体の非イオン性界面活性剤がアルコキシル化（例えば、エトキシル化）脂肪族アルコールでる場合、ＨＬＢ値は少なくとも１３であるか、又は、
前記第１成分が、少なくとも１つの脂肪酸単位と少なくとも１つのエチレングリコール単位とを含んでなる液体脂肪酸エステルを含んでいてよく、前記第２成分が、固体ポリエチレングリコールを含んでいてもよいか、又は、
前記第１成分が、液体ポリエチレングリコールを含んでいてよく、前記第２化合物類が、固体脂肪酸類、固体脂肪石鹸類、及び固体脂肪族アルコール類からなる群より選択される固体脂肪族化合物類である。
【００７５】
好ましくは、前記固体脂肪族化合物が固体脂肪酸を含む場合、液体の総量は固体の総量よりも多い。
【００７６】
一実施形態では、液体成分は、分子量（重量平均）が１００〜７２０未満、好ましくは３５０〜７００のポリエチレングリコールである。ローション組成物は、２０重量％〜８０重量％、又は３０重量％〜７０重量％、又は４０重量％〜６０重量％のこの液体ポリエチレングリコールを含むことが好ましい場合がある。例えば、ＭＷ４００のポリエチレングリコール５０重量％であって、ポリグリコール４００とも称される。
【００７７】
一実施形態では、固体成分は、ポリエチレングリコール若しくは誘導体であって、適切には分子量（重量平均）が７２０超、例えば、７２０〜１０００００、又は９５０〜３００００、又は３０００〜２００００若しくは〜１００００のものを使用する。ローション組成物は、この液体ポリエチレングリコールを２０重量％〜８０重量％、又は３０重量％〜７０重量％、又は４０重量％〜６０重量％含む、例えば、ポリグリコール４０００を５０重量％含むことが好ましい場合がある。
【００７８】
一実施形態では、固体成分は、固体非イオン性界面活性剤、好ましくは一般式Ｒ（ＯＣＨ２ＣＨ２）ｎＯＨを有する固体ポリエチレングリコール脂肪族アルコールエーテル類であって、前記式中、Ｒは、例えば炭素原子数８〜３０若しくは１２〜２２のアルキル基又はアルキル基のブレンドを表し、ｎはエトキシル化度であって、例えば２〜２００である。ローション組成物は、この液体ポリエチレングリコールを２０重量％〜８０重量％、又は３０重量％〜７０重量％、又は４０重量％〜６０重量％含む、例えば、ステアレス−１００を５０重量％含むことが好ましい場合がある。
【００７９】
着色剤
本明細書におけるローション組成物は、着色剤を含んでいる。驚くことに、着色剤は親水性であり、並びに／又は上記固体成分及び液体成分類を含む本発明のローション組成物中に混入すると、物品が身体滲出物類で濡れると吸収性物品の中へ移動して、使用者又は介護者に吸収性物品を交換する必要があるかもしれないという合図を送る。
【００８０】
着色剤には、例えば、食品着色剤及び食用色素を包含する以外に、当該技術分野において公知のもの等の染料成分を含んでいても含んでいなくてもよい。
【００８１】
一部の実施形態では、着色剤又はその成分類は、ローション組成物中に分散することができる。別の実施形態では、着色剤又はその成分は、前記ローション組成物に溶解することができる。
【００８２】
着色剤又はその成分は、水分散性又は油分散性であってもよい。着色剤には、染料製造者らによって一般に特定されるような水溶解性染料が含まれていても含まれていなくてもよい。
【００８３】
一実施形態では、着色剤には染料粒子類が含まれており、それは、ローション組成物に分散又は溶解することができるか、あるいは一実施形態では、前記ローション組成物に部分的に溶解され及び部分的に分散されていてもよい。
【００８４】
本明細書における一実施形態では、着色剤には色素類が含まれており、それらは粒子状物質として存在し、本明細書に記載されているように、溶解された染料成分に加えて存在していてもよい。例えば、着色剤は、溶解された染料成分と粒子状色素類とを含んでいてもよい。色素類は、溶解された染料成分の色とは異なる色を有する場合がある。
【００８５】
着色剤は典型的に、ローション組成物と皮膚接触シートに必要な着色をもたらすのに十分な量で使用される。
【００８６】
着色剤は、ローション組成物中に、例えば前記組成物の０．５ｐｐｍ〜５重量％、又は例えば前記組成物の１ｐｐｍ若しくは０．００５重量％〜１重量％若しくは０．５重量％までの濃度で存在していてもよい。
【００８７】
着色剤とローション組成物と皮膚接触シートとは、着色ローション組成物を含む皮膚接触シートの領域とローション組成物を含まない皮膚接触シートの領域との間の色差（ΔＥ）が、以下の試験法の説明において記載されているように、少なくとも１．０、好ましくは、少なくとも２．０、又は少なくとも２．２、又は少なくとも２．４、又は少なくとも２．６、又は少なくとも２．８、又は少なくとも３．０であるようなものであってもよい。あるいは、着色ローション組成物を含有する皮膚接触シートは、以下の試験法の説明において記載されているように、基準白色表面に対して少なくとも１．０、好ましくは少なくとも２．０、又は少なくとも２．２、又は少なくとも２．４、又は少なくとも２．６、又は少なくとも２．８、又は少なくとも３．０の色差（ΔＥ）を有する。好ましくは、前記ローション組成物を含む領域（単数又は複数）はいずれも、以下の試験法の説明において記載されているように、前記ローション組成物を含まない前記領域のうち少なくとも１又は全てに対して、あるいは基準白色に対してこの色差を有する。
【００８８】
着色剤は、着色剤と残りのローション組成物成分とを組み合わせる（例えば、混合する）ことによるか、又は例えば、着色剤を１つ以上の化合物類若しくは成分類とだけ組み合わせて（例えば、混合して）から、これをローション組成物の残りの化合物類若しくは成分類と組み合わせることによることを包含する、任意の公知の方法でローション組成物に添加してもよい。例えば、着色剤は、先ず、本明細書における液体成分又はその化合物（類）に組み込むか又はそれに溶解してから、本明細書に記載した固体成分と組み合わせてよく、あるいはそれは、本明細書中の固体成分又はその化合物（類）と組み合わせてから、本明細書における液体成分と組み合わせてもよい。
【００８９】
代表的な着色剤類としては、植物由来の染料が挙げられる。
【００９０】
着色剤類の例には更に、食品、医薬品及び化粧品用の染料、並びに医薬品及び化粧品用の染料も包含され、次のものが挙げられる。
【００９１】
食品、医薬品及び化粧品用青色１号（ＣＩ  ４２０９０、ＣＡＳ  ＲＮ  ３８４４−４５−９）
食品、医薬品及び化粧品用黄色５号（ＣＩ  １９１４０、ＣＡＳ  ＲＮ  １９３４−２１−０）
医薬品及び化粧品用黄色７号（ＣＩ  ４５３５０、ＣＡＳ  ＲＮ  ２３２１−０７−５）
医薬品及び化粧品用緑色６号（ＣＩ  ６１５６５、ＣＡＳ  ＲＮ  １２８−８０−３）
医薬品及び化粧品用緑色８号（ＣＩ  ５９０４０、ＣＡＳ  ＲＮ  ６３５８−６９−６）
食品、医薬品及び化粧品用緑色３号（Ｃ．Ｉ．４２０５３）ＣＡＳ  ＲＮ：２３５３−４５−９
医薬品及び化粧品用緑色５号（Ｃ．Ｉ．６１５７０）ＣＡＳ  ＲＮ：４４０３−９０−１
かかる染料類は、例えば、米国ウィスコンシン州５３２０２−５３０４ミルウォーキー（Milwaukee）、イースト・ウィスコンシン・アベニュー７７７（777 East Wisconsin Ave.）のセンサイエント・テクノロジーズ・コーポレイション（Sensient Technologies Corporation）から入手可能である。
【００９２】
いかなる色素類をローション組成物に添加してもよく、食品、医薬品及び化粧品用並びに／又は医薬品及び化粧品用の色素が挙げられ、植物色素類も包含される。ローション組成物は、溶解された染料を含有し、かつ粒子状色素類を含む着色剤を含み、前記色素類は、染料（類）の色（及び／又は前記色素類を除く着色剤の色、及び／又は前記色素を除くローション組成物の色））とは異なる色であることが好ましい場合がある。
【００９３】
（更なる）粒子状物質
一実施形態では、ローション組成物は、皮膚への糞便又は経血の付着を更に軽減するために、少なくとも１つの粒子状物質を含む。本明細書では、着色剤がローション組成物中に粒子状で存在するならば、この更なる粒子状物質は追加の成分であると解するべきである。粒子状物質としては、皮膚への身体滲出物の付着を軽減するのに役立つと先に記載された粒子類又はビーズが挙げられる。
【００９４】
粒子状物質は、吸収性物品上に塗布されている間、粒子状である。また粒子状物質は、皮膚と接触しているとき及び／又は尿、経血又は糞便と接触しているときも、粒子状のままであるようなものである。したがって、粒子状物質は、非水溶解性であり、上述のようにローション組成物のプロセス温度よりも高い融解温度を有する。
【００９５】
粒子状物質は、１ナノメートル〜２ｍｍの間、好ましくは１ナノメートル〜５００マイクロメートルの間、更に好ましくは０．１マイクロメートル〜２ｍｍの間、更に、なお好ましくは５０ナノメートル〜１マイクロメートルの間、又は本明細書に記載されたいずれかの範囲、若しくはいずれかの範囲内の個々の値のうちいずれかの平均粒径を有していてもよい。好ましくは、最小平均粒径は、少なくとも０．１マイクロメートル、又は好ましくは少なくとも１マイクロメートル、又は好ましくは少なくとも１０マイクロメートル、又は更に好ましくは少なくとも２０マイクロメートルであり、好ましくは最大約５００マイクロメートル、又は一部の実施形態において最大約１００マイクロメートル、更にその他の実施形態において、最大約３０マイクロメートルである。一実施形態において、適用しようとするローション組成物及び／又は塗布したコーティングは、粒子の２５％未満が１００マイクロメートルより大きい等価直径を有することが好ましい場合がある。別の実施形態において、適用しようとするローション組成物及び／又は適用したコーティングは、２５％未満の粒子が５マイクロメートル未満の等価直径を有する粒子を含むことが好ましい場合がある。更に、別の実施形態において、適用しようとするローション組成物及び／又は塗布されるコーティングは、２５％未満の粒子が１００マイクロメートル未満の等価直径を有する粒子を含むことが好ましい場合がある。
【００９６】
粒子状物質は、（ローション組成物の重量を基準として）０．０５重量％〜２５重量％、好ましくは０．０５重量％〜１５重量％、更に好ましくは０．０５重量％〜５重量％、又は０．１重量％〜２５重量％、又は更に好ましくは０．２５重量％〜２０重量％の濃度であるが、典型的には、０．５重量％〜１０重量％、又は最大５重量％の濃度で存在してもよい。
【００９７】
好適には、前記粒子類は、約０．５グラム／ｃｍ３〜約２．５グラム／ｃｍ３の密度を有することができる。好ましくは、密度は、約０．５グラム／ｃｍ３〜約２．０グラム／ｃｍ３、更に好ましくは０．８グラム／ｃｍ３〜約１．５グラム／ｃｍ３である。一実施形態において、密度は好ましくは、粒子の沈殿を最小限に抑えるように約１グラム／ｃｍ３未満であってよく、また密度は、粒子の浮揚を最小限に抑えるように約０．８グラム／ｃｍ３より大きい。
【００９８】
一実施形態において、ローション組成物は無機粒子を含んでもよく、アルミナケイ酸塩類、ケイ酸塩類、シリカ類、雲母、及び／又はタルクが挙げられる。また、粘土類を使用してもよい。しかしながら、本発明において、粒子状物質は有機材料であることが好ましい場合がある。好ましくは、粒子類は、非活性及び／又は非反応性材料である。粒子類は、多孔質であっても、無孔であってもよい。粒子類は、いかなる形状を有していてもよいが、好ましくはそれらは平滑な面を有し、好ましくはそれらは球形又は平板状の粒子類であり得る。粒子類は、それらの表面又はそれらの一部の上にコーティング剤、例えば界面活性剤を含むことで、その特性、例えば親水性を変更してもよい。特に、粒子類は、オレフィンである場合には、当該粒子類の製造中に添加される溶融添加剤を包含していてもよい。
【００９９】
好適な材料類には、ポリスチレン粒子類、ポリプロピレン及び／又はポリエチレン（コ）ポリマー粒子類、ポリテトラフルオロエチレン粒子類、ポリメチルシルセスキオキサン粒子類、ナイロン粒子類が包含されるが、これらに限定されない。好適な市販の粒子状物質類としては、以下のものが挙げられるが、これらに限定されない：ニュージャージー州モーリスタウン（Morristown）のハニーウェル・インターナショナル（Honeywell International）から商標名アキュミスト（ACUMIST）として入手可能であるポリエチレン粒子類、ニュージャージー州サウス・プレーンフィールド（South Plainfield）のコボ（KOBO）からＢＰＡとして入手可能なポリメチルメタクリレート粒子類（微小球類）、コボからＢＰＤとして入手可能なラクトンクロスポリマー粒子類（微小球類）、コボからナイロンＳＰ（NYLON SP）として入手可能なナイロン１２粒子類（微小球類）、コボからトスパール（TOSPEARL）として入手可能なポリメチルシルセスキオキサン粒子類（微小球類）、コボからセロ−ビーズ（CELLO-BEADS）として入手可能なセルロース粒子類（微小球類）、ニューヨーク州タリータウン（Tarrytown）のマイクロ・パウダーズ社（Micro Powders, Inc.）からマイクロスリップ（MICROSLIP）として入手可能なポリテトラフルオロエチレン粉末類、マイクロ・パウダーズ（Micro Powders）からマイクロケア（MICROCARE）として入手可能な天然ろうと微紛化ポリマー類とのブレンド、及びジョージア州デュルス（Duluth）のエキスパンセル社（Expancel, Inc.）からエキスパンセル（EXPANCEL）として入手可能な塩化ビニリデンと、アクリロニトリルと、メチルメタクリレートとのコポリマーの粒子類。また、微紛化ワックス類、例えば、マイクロ・パウダーズ（Micro Powders）からマイクロイーズ（MICROEASE）として入手可能なものを混入してもよい。好ましいのは、テキサス州ヒューストン（Houston）のイクイスター・ケミカル社（Equistar Chemical Corp.）からマイクロセン（MICROTHENE）として入手可能なポリオレフィン粒子類（粉末類）である。特に好ましいのは、イクイスター（Equistar）製のマイクロセン（MICROTHENE）ＦＮ５１０−００である。
【０１００】
皮膚接触シート
本明細書における吸収性物品は、ローション組成物を含む皮膚接触シート上に少なくとも構成される。皮膚接触シートは、使用時に皮膚と接触する吸収性物品の任意のシートであってもよい。
【０１０１】
皮膚接触シートは、前記ローション組成物をその表面全体に亙って含んでいても、その一部又は部分の上のみに含んでいてもよい。典型的には、少なくとも１ｃｍ２、好ましくは少なくとも４ｃｍ２、又は一部の実施形態では、更には少なくとも１０ｃｍ２若しくは少なくとも１５ｃｍ２の（使用中に使用者に面する表面上で測定される）少なくとも表面積全体が、着色剤を含む前記ローション組成物を含んでおり、そしてそれ故に皮膚接触シートは好ましくは、その上若しくはその中にローション組成物を有する前記シートの前記面積全体が少なくとも１ｃｍ２、好ましくは少なくとも４ｃｍ２又は少なくとも１０ｃｍ２又は少なくとも１５ｃｍ２、あるいは例えば、少なくとも３０ｃｍ２又は少なくとも５０ｃｍ２、及び特定の実施形態では例えば、少なくとも７０ｃｍ２であって、例えば最大１００ｃｍ２であるように前記ローション組成物を含んでいる。
【０１０２】
ローション組成物は、皮膚接触シートの一部の上にのみ存在していてもよい。その上、本発明の目的として、皮膚接触シートは、前記ローション組成物を有する領域と、前記ローション組成物を有しない領域とを含むことから、前記パターンを形成している。ローション組成物を有する領域は、正方形又は長方形（例えばストライプ）を包含するいかなる形態であってもよく、それは例えば、生殖器及び／又は肛門と面した領域に、例えば、物品の中央の１／３に存在していてもよく、あるいはローション組成物は、パターンで、すなわちローション組成物を有する領域のパターンで存在していてもよく、パターンとしてはストライプ等の長方形、正方形、円形若しくは楕円形、又は比喩的な図形が挙げられる。
【０１０３】
ローション組成物が塗布され得るパターン、又は塗布されるローション組成物の量は、物品の後側の三分の一（すなわち、後側腰部区域におけるシャーシの外縁部から始まる吸収性物品の長手方向延長部の三分の一）と、物品の中央三分の一と、物品の前側三分の一とで同じにすることができる。あるいは、ローション組成物が塗布されるパターン、及び／又は塗布されるローション組成物の量は、物品の後側の三分の一と、中央の三分の一と、前側の三分の一とで異なることも可能である。本発明のローション組成物は非粘着性を有するので、それは好ましくは吸収性物品類の前記区域に含まれるべきであって、その区域は、着用者の皮膚領域と近接して配置されて、典型的に血液又は糞便で汚染される。したがって、ローション組成物は少なくとも、物品類の前記領域に含まれているべきであり、使用時には着用者の臀部及びその溝の長さ全体と近接して、並びに／又は生殖器の領域に配置される。
【０１０４】
ローション組成物が長手方向のストライプの形状で塗布される場合、ストライプは好ましくは、臀部及びその溝の長さほとんどを同様に覆う程度まで、吸収性物品の後側腰部区域に延びている。また、ストライプの数又は密度は、皮膚を汚す糞便の影響を典型的に受ける領域から離れた所にある領域で、例えば、物品の後半分で高くなってもよい。更にはストライプの坪量も、皮膚を汚す糞便の影響を典型的に受ける領域から離れた所にある前記領域で高くなる場合がある。ローション組成物をドットなどの図形の形で塗布する場合、図形の密度（例えば、ドット密度であって、ドットは互いにすぐ側に位置する）及び／又は図形の寸法及び／又は図形に含まれるローション組成物の坪量は、皮膚を汚す糞便の影響を典型的に受ける領域から離れた所にある前記領域で更に高くなってもよい。図形は、円形、楕円形、長方形、三角形、星型、ハート型、又は動物の形に模られたもののように、いかなる形状及び寸法であることもできる。更に、吸収性物品は、様々な形状及び／又は様々な寸法を構成することもできる。
【０１０５】
皮膚接触シートは物品のカフ又はその一部であってもよく、典型的には２つのカフが少なくとも存在することから、物品は、かかる皮膚接触シートを少なくとも２枚含む場合がある。
【０１０６】
これらカフは、一対のレッグカフ又は一対のバリアカフであってもよく、あるいはそれらの対が両方とも存在していてもよい。バリアカフ又はレッグカフは典型的に、それらカフの長手方向の一方の縁部を前記吸収性物品に取り付けることから、物品のＸ−Ｙ面（長手方向／横断方向）から外に向かって、すなわちＺ−方向に配置することができる長手方向の自由縁部を有している。一対のカフは、典型的には、物品のＹ軸について、互いに鏡像である。
【０１０７】
一実施形態では、カフ（単数若しくは複数）の一部又は全体に、本明細書に記載の親水性ローション組成物が含まれていてもよい。本明細書における一実施形態では、前記カフは、カフ材料の８０％未満、又は６０％未満、又は４０％未満、あるいは２０％未満であるが、少なくとも１０％に前記ローション組成物を含んでいる。
【０１０８】
好ましい実施形態では、皮膚接触シートは、物品のトップシート又はその一部である。トップシートは、当該技術分野においてトップシートとして公知のいかなるシートであってもよく、いわゆる身体側面のライナー類、コアカバーシート類、若しくは生殖器カバーシート類、並びに／又は肛門用及び／若しくは膣用のカフが挙げられ、身体滲出物を受容するための開口部（例えば、身体滲出物を受容するための少なくとも２ｃｍ２又は少なくとも４ｃｍ２の大きな開口部）を１つ以上有するトップシートと呼ばれる場合もある。例えば、２００５年９月１３日出願の米国特許出願２００６／００５８７６６（Ａ）号には、トップシートが、糞便物質を受容するのに適合した改造された開口部を少なくとも１つ備えており、トップシートとその開口部がそれぞれ前側区域と後側区域とを有する、吸収性物品が開示されている。吸収性コアとトップシートとの間には隙間が設けられており、吸収性物品は更に生殖器カバーシートも備えており、これは使用時に生殖器を覆っており、開口部の前記前側区域の中、若しくはその下、若しくはその上に配置されている。前記トップシート又は前記生殖器カバーシートのいずれか、あるいはそれら両方が本明細書におけるローション組成物を含んでいてもよい。
【０１０９】
一実施形態では、皮膚接触シートの露出を最大にする必要があるため、皮膚接触シートは前記物品のトップシート又はその一部である。
【０１１０】
皮膚接触シート用の好ましい材料としては、織布シート類、不織布シート類、及びフィルム類が挙げられ、それらの積層物も包含され、及び／又は孔あき不織布類及び孔あきフィルム類及び孔あき成形フィルム類が包含され、並びに孔あき成形熱可塑性フィルム類、孔あきプラスチックフィルム類、及びハイドロフォーミングされた熱可塑性フィルム類が包含されるが、多孔質発泡体類、網状発泡体類、網状熱可塑性フィルム類、並びに熱可塑性スクリムも包含される。好適な織布材料及び不織布材料は、天然繊維（例えば、木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせから製造することができる。
【０１１１】
皮膚接触シート類は、着用者の皮膚に適合し、柔らかな肌触りで、着用者の皮膚に刺激を与えない材料（類）であるか、又はそれらから製造されていることが好ましい。更に、皮膚接触シートは好ましくは、その厚さを液体（例えば、尿）が容易に浸透することができる液体透過性であってもよく、身体滲出物と接触するとシートから物品内へ着色剤を移動させることができる。
【０１１２】
トップシートは、孔径が少なくとも約０．２ｍｍ２だが、２ｃｍ２未満、又は１ｃｍ２未満、又は０．５ｃｍ２未満の複数個の孔を有する孔あきシートから製造されてもよい。かかる孔あきシートは、好ましくは少なくとも約１０％の開口面積を有しており、開口面積は、使用時に使用者に面した表面上の全開口部の表面積の合計である。
【０１１３】
更に、好適な皮膚接触シート類は、米国特許出願第２００４／００９２９０２（Ａ）号、同第２００４／００９２９００（Ａ）号、同第２００４／０１６２５３８（Ａ）号、及び同第２００６／００５８７６５（Ａ）号に開示されている。
【０１１４】
吸収性物品類
本発明は、おむつ類、成人用の失禁用物品類、及び女性用衛生物品類等のいかなる吸収性物品にも言及される。これら物品類は、本発明の目的として、本明細書におけるローション組成物を含む皮膚接触シートを備えている。この皮膚接触シートは、存在する場合は、物品のトップシート及び／又はカフ類であってもよい。
【０１１５】
これら物品類は、それぞれ典型的に、皮膚接触シートに加えて、バックシート及び吸収性コア、並びにそれが本明細書における皮膚接触シートでない場合はトップシートをも備えている。吸収性コアはその中に、コアカバーシートと、１つ以上の吸収性構造体及び／又は吸収性材料類とを含んでいてもよい。トップシート及び／又はバックシートは、所望により更なるカバーシートとも組み合わせて吸収性コアカバーを形成し、その上、吸収性コアが、バックシート及び／又はトップシート並びに所望によって追加のカバーシートで囲まれた１つ以上の吸収性材料を含む場合がある。別の方法としては、吸収性コアカバーシート又は、シート類をトップシート及び／又はバックシートに加えられるものである。
【０１１６】
以降では、吸収性物品の一実施形態として、おむつについて記載する。とはいえ、当業者も承知しているように、本明細書に記載の大抵の成分及び材料は他の吸収性物品類にも適用可能である。
【０１１７】
本明細書における好ましい吸収性物品は、長手方向軸と横軸とを有している。この物品には更に、内側の、身体に面する表面と、前記内側の表面とは反対側に位置する、外側の、衣類に面する表面とがある。
【０１１８】
おむつの一方の末端部分は、おむつの前側腰部区域として構成される。反対側の末端部分は、おむつの後側腰区域として構成される。おむつの中間部分は、前側腰部区域と後側腰部区域の間で長手方向に延びる股部として構成される。股部は、おむつを着用した際に、一般に着用者の脚の間に位置するおむつの部分である。
【０１１９】
おむつのシャーシは、おむつの本体を構成する。シャーシには、典型的に、液体透過性トップシート（例えば、前述のようなもの）とバックシートとが含まれる。シャーシには更に、トップシートとバックシートの間に配置され、所望によりコアカバー材料／シート（類）で囲まれた、吸収性コアが収容されている。シャーシは、長手方向の縁部及び末端縁部と共にシャーシの横方向の外縁部でによって画定された周辺部を有している。
【０１２０】
典型的には、吸収性物品は、一つ以上のカフを備えており、これは、本明細書における皮膚接触シート（単数又は複数）であってよく、前記カフは、吸収性物品の長手方向の側縁部又はその一部に沿って長手方向に延びている。
【０１２１】
バックシートは、典型的には、当該技術分野において公知のように、液体不透過性バックシートであってもよい。一実施形態では、液体不透過性のバックシートは、約０．０１ｍｍ〜約０．０５ｍｍの厚さを有する、熱可塑性フィルムなどの薄いプラスチックフィルムを含む。好適なバックシート材料は典型的には通気性材料を含んでおり、これは、吸収性物品から蒸気を逃がすことができる一方で、滲出物がバックシートを通り抜けないようにする。好適なバックシートフィルム類としては、インディアナ州テレ・ホート（Terre Haute）のトレデガー・インダストリーズ社（Tredegar Industries Inc）によって製造され、商品名Ｘ１５３０６、Ｘ１０９６２、及びＸ１０９６４として販売されているものが挙げられる。バックシート又はそのいずれかの部分は、一つ以上の方向に弾性的に延伸可能であってもよい。
【０１２２】
バックシートは、例えば、本明細書におけるトップシート並びに／又は本明細書におけるバリアカフ及び／若しくはレッグカフに直接又は間接的に取り付けられているか又は接合されていてもよい。
【０１２３】
吸収性コアは一般に、トップシートとバックシートの間に配置される。吸収性コアには、一般に圧縮性であり、着用者の皮膚に快適で、着用者の皮膚に刺激を与えず、尿及びその他の特定の身体滲出物のような液体を吸収及び保持することが可能な、吸収性材料が含まれていてもよい。
【０１２４】
吸収性コアは、多種多様の大きさ及び形状（例えば、方形、砂時計形、「Ｔ」字形、非対称形など）で、しかも一般にエアフェルトと呼ばれる粉砕木材パルプのように、使い捨ておむつ類及びその他の吸収性物品類に通常使用されている多種多様の液体吸収性材料類から、製造することができる。他の好適な吸収性材料類の例としては、縮みセルロース詰め物、コフォームを包含するメルトブローポリマー類、架橋されたセルロース繊維類、ティッシュラップ及びティッシュラミネートを包含するティッシュ、吸収性発泡体類、吸収性スポンジ類、超吸収性ポリマー類、吸収性ゲル材料、又はあらゆる同等の材料若しくは材料の組み合わせが挙げられる。また、吸収性コアの構成及び構造は多様であってもよく、例えば、吸収性コアは、様々なキャリパーゾーン、親水性勾配、超吸収性勾配、若しくはより低い平均密度及びより低い平均坪量獲得帯を有していてもよく、又は１つ以上の層又は構造を含んでもよい。しかしながら、吸収性コアの全体的な吸収能力は、おむつの設計負荷及び意図される用途と適合していなければならない。その上、吸収性コアの大きさ及び吸収能力は、乳児から成人にまで及ぶ着用者に対応するように変更することもできる。
【０１２５】
更に、本明細書におけるおむつ類は、当該技術分野において既知のように、典型的にはウェストバンドに接合される、前側及び後側のウェストバンド及び／又は締着装置を含んでいてもよい。好ましい締結装置類は、締結タブ類及びランディング領域類を備えており、締結タブ類は、おむつの後側区域に取り付けられるか又は接合されており、ランディング領域は、おむつの前側区域の一部分である。パンツ型おむつには、かかる締結具がなくてもよいが、それは、後側ウェストバンドと前側腰部とを有していてもよく、それらを接合することで連続したウェストバンドが形成される。
【０１２６】
試験方法
水溶解性
ローション組成物の水溶解性、又は当該ローション組成物を配合するのに使用される任意の化合物の水溶解性は、次のようにして決定する：１００ｍｇの出発量（ＳＡ）のローション組成物を、ローションがスライドガラス上の２．５ｃｍ×５ｃｍの面積を覆うように、既知の重量のスライドガラス（２．５ｃｍ×８ｃｍ）に適用する。次いで、前記スライドガラスを、２０℃において脱イオン水７５ｍＬが入ったビーカー内に水平に入れる。水とその中のローション組成物を攪拌しない。４時間後、スライドガラスをビーカーから取り出して、６０℃、０％ＲＨ（相対湿度）のオーブンに入れて水を除去する。乾燥後、それを秤量して、スライドガラス上のローション組成物の残留量を求める。本発明のローション組成物は、乾燥後の前記プレート上のローション組成物の残留量（ＲＡ）が（スライドガラスに適用した１００ｍｇの）６０％未満、より好ましくは２０％未満、更により好ましくは１０％未満であれば、水溶解性である。これらの値は、次のようにして決定される少なくとも４０％、より好ましくは少なくとも８０％、更により好ましくは少なくとも９０％の水溶解度に相当する。
［（ＳＡ−ＲＡ）］／ＳＡ×１００％＝水溶解度（％）
【０１２７】
比較的良好な水溶解度を有する、かかるローション組成物類は、本発明の意味では親水性であると考えられる。
【０１２８】
色差法
本明細書で使用するとき、色差及び色強度は、次のようにして決定することができる。
【０１２９】
三刺激値色度計（分光光度計／比色計）、例えば、ユニバーサル・ソフトウェア４．１（Universal Software 4.1）の下で操作されるハンターラボ・ラボスキャンＸＥ（HunterLab Labscan XE）（バージニア州レストン（Reston）のハンター・アソシエーツ・ラボラトリー社（Hunter Associates Laboratory Inc.）から入手可能）を以下の設定／構成で使用する。
【０１３０】
カラースケール：ＣＩＥ  Ｌ＊ａ＊ｂ＊、照度：Ｃ、標準観測者、２°、ジオメトリ：４５／０°、
ポート直径：５．１ｍｍ（０．２インチ）、観測領域直径：３．２ｍｍ（０．１２５インチ）、ＵＶフィルター：基準。
【０１３１】
この機器は、製造メーカーの取扱説明書に従って、製造メーカーが提供する標準黒色及び白色タイルを用いて較正する。本明細書における値を決定するために、分析の設定毎に事前に較正を行う必要がある。
【０１３２】
測定は、物品全体として、又は必要に応じて、物品から採取した試料について行い、着色ローション組成物を含む皮膚接触シートの表面、例えば、使用時に使用者に面する表面について測定を行う。
【０１３３】
皮膚接触シートが前記着色ローション組成物を有する領域と前記着色ローション組成物を有しない領域とを含む場合、それら２つの領域間の色差は、ペア測定によって求めることができる。その場合、ペア測定は、着色ローションを含む領域で測定を１回行い、前記着色ローション組成物を有しない領域で測定を１回行うように、実行する。
【０１３４】
標準白色に関する色強度を求めようとする場合、着色ローションを含有する皮膚接触シートにおいて測定を１回行い、装置に装備されている標準白色タイルにおいて測定を１回行うことにより、ペア測定を行うこともできる。
【０１３５】
試料は、比色計の測定ポートに対して水平に配置する。選択された試料領域（以下を参照のこと）をポートに被せて、ポートが確実にこの面積で完全に覆われているようにする。次に、標準白色タイルを、測定しようとする物品の領域の表面とは反対側の表面に配置して、均一な裏材として使用するために機器ポートの上で中心合わせをする。Ｌ＊ａ＊ｂ＊を読み取り、０．０１単位まで記録する。その後、ペア測定の二回目の測定を行う（適用可能であれば、前述のように、標準白色タイルを測定領域とは反対側の表面に配置する）。Ｌ＊ａ＊ｂ＊を再度読み取り、０．０１単位まで記録する。
【０１３６】
ペア測定は、ローション含有領域又は非ローション含有領域それぞれにおいて、少なくとも３回行って、平均値を得る必要があり、これを本明細書に報告する：例えば、ローション含有領域が物品の長さ方向に及ぶストライプであれば、ローションが存在する、物品の前側の三分の一、中央の三分の一、及び物品の後側の三分の一において測定を行うこともできる。
【０１３７】
ペア測定値間の差は、次の標準式：
ΔＥ＝［（Ｌ＊ローション−Ｌ＊非ローション）２＋（ａ＊ローション−ａ＊非ローション）２＋（ｂ＊ローション−ｂ＊非ローション）２］０．５
あるいは：
ΔＥ＝［（Ｌ＊ローション−Ｌ＊標準白色）２＋（ａ＊ローション−ａ＊標準白色）２＋（ｂ＊ローション−ｂ＊標準白色）２］０．５
【０１３８】
次に、あと２回のペア測定値のもう２つのΔＥを計算し、これら３つのペア測定値の平均ΔＥを計算して、０．１単位まで報告する。これが本明細書で使用されるΔＥである。
【０１３９】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【０１４０】
「発明を実施するための形態」で引用した全ての文献は、関連部分において本明細書に参照により組み込まれるが、いずれの文献の引用も、それが本発明に対する先行技術であることを容認するものと解釈されるべきではない。本明細書における用語のいずれかの意味又は定義が、参考として組み込まれる文献における用語のいずれかの意味又は定義と対立する範囲については、本明細書におけるその用語に与えられた意味又は定義を適用するものとする。
【０１４１】
本発明の特定の実施形態を例示及び説明してきたが、本発明の趣旨及び範囲から逸脱することなく他の様々な変更及び修正を行うことが可能であることが当業者には自明であろう。したがって、本発明の範囲に含まれる全てのこうした変更及び修正を、添付の特許請求の範囲において取り扱うものとする。
【国際調査報告】
2010526631.tif 000002
2010526631.tif 000003
2010526631.tif 000004
2010526631.tif 000005
2010526631.tif 000006